(57)【要約】【課題】  写真原稿を光学的に読み取って生成したデジタル画像データに対し、撮影情報、撮影条件を容易に付加することを可能とする画像処理装置を提供する。【解決手段】  原稿を光学的に読み取り、原稿の画像データを生成する画像入力装置１０１と、プリンタ１１０とを有する。情報記録フォーマット作成部１１７は、写真原稿を読み取って生成した画像データに対して、撮影情報又は撮影条件として付加するパラメータを指定するための記録媒体１０９をプリンタ１１０に印刷させる。パラメータが指定された記録媒体１０９を読み取って生成した画像データから、指定されたパラメータを文字認識処理部１０７で認識し、認識したパラメータと、写真原稿から生成された画像データとを対応付けて画像ファイル１０８を生成する。【選択図】  図１
2008009775.tif 000002
【特許請求の範囲】
【請求項１】
原稿を光学的に読み取り、前記原稿の画像データを生成する画像入力手段と、
印刷手段と、
前記画像入力手段により原稿を読み取って生成した画像データに対して、撮影情報又は撮影条件として付加するパラメータを指定するための記録媒体を前記印刷手段に印刷させる記録媒体作成手段と、
前記パラメータが指定された前記記録媒体を前記画像入力手段で読み取って前記指定されたパラメータを認識する認識手段と、
前記認識手段が認識したパラメータと、前記原稿から生成された画像データとを対応付けて画像ファイルを生成するファイル生成手段を有することを特徴とする画像処理装置。
【請求項２】
さらに、
前記画像ファイルに含まれる前記パラメータを解析するパラメータ解析手段と、
前記画像ファイルに含まれる前記画像データを解析する画像データ解析手段と、
前記パラメータ解析手段及び前記画像データ解析手段の解析結果に基づいて、前記画像データに適用すべき画像処理を決定し、当該決定した画像処理を前記画像データに適用する画像処理手段と、
前記印刷手段は、前記画像処理手段が処理した画像データを印刷することを特徴とする請求項１記載の画像処理装置。
【請求項３】
前記記録媒体が、前記原稿から生成された画像データの少なくとも１つを特定可能な情報が記録される画像領域と、フォルダ名及びファイル名を指定するための保存先領域を有し、
前記認識手段が、前記保存先領域に指定された文字列を認識するとともに、
前記記録媒体における画像領域に記録された前記情報から特定される画像データを、前記文字列に基づくフォルダ名及びファイル名を用いて保存する保存手段をさらに有することを特徴とする請求項２記載の画像処理装置。
【請求項４】
スキャナで原稿を光学的に読み取り、前記原稿の画像データを生成する画像入力工程と、
前記画像入力工程により原稿を読み取って生成した画像データに対して、撮影情報又は撮影条件として付加するパラメータを指定するための記録媒体を印刷手段に印刷させる記録媒体作成工程と、
前記パラメータが指定された前記記録媒体を前記スキャナで読み取って前記指定されたパラメータを認識する認識工程と、
前記認識工程が認識したパラメータと、前記原稿から生成された画像データとを対応付けて画像ファイルを生成するファイル生成工程を有することを特徴とする画像処理方法。
【請求項５】
コンピュータに、請求項４記載の画像処理方法を実行可能に機能させるプログラム。
【発明の詳細な説明】
【技術分野】
【０００１】
本発明は画像処理装置及び画像処理方法に関し、特に、写真プリントまたはフィルム等に記録されている画像を読み込んで得られるデジタル画像データの出力に適した画像処理を行なう画像処理装置及び画像処理方法に関する。
【背景技術】
【０００２】
デジタルスチルカメラ等の撮像装置においては、撮影により生成したデジタル画像データファイル中のタグ部分に、撮影時の設定（撮影条件）や、シャッタースピード等の撮影情報を付加することが可能である。そして、これらの情報をデジタル画像データの画像処理や印刷時に利用することができる。
【０００３】
また、銀塩写真においても、磁気記録可能なフィルム（ＡＰＳフィルム）を用いて、撮影時の日時や撮影条件等を記録可能なカメラ（ＡＰＳカメラ）が普及している。また、この様な写真フィルムを読み取ってデジタル画像データを生成する際、磁気記録された情報を読み取って、デジタル画像データに含めることが可能な画像処理装置が、特許文献１に開示されている。
【０００４】
【特許文献１】特開平１０−３０１１９４号公報
【発明の開示】
【発明が解決しようとする課題】
【０００５】
しかし、フラットベットスキャナ等の画像読み取り装置を用いて写真プリントやフィルム等に記録された画像を読み取ってデジタル画像データを生成する際、撮影条件、撮影情報を付加するのは困難であった。
【０００６】
さらに、磁気記録層を有していない一般写真フィルムあるいは写真プリントを読み取ってデジタル画像データを生成する場合、デジタル画像データの生成時に撮影時の日時、撮影条件等を付加情報として記録することは提案されていなかった。
【０００７】
本発明は、このような従来技術の課題を改善するために成されたもので、写真原稿を光学的に読み取って生成したデジタル画像データに対し、撮影情報、撮影条件を容易に付加することを可能とする画像処理装置及び画像処理方法を提供することを目的とする。
【課題を解決するための手段】
【０００８】
上述の目的は、原稿を光学的に読み取り、原稿の画像データを生成する画像入力手段と、印刷手段と、画像入力手段により原稿を読み取って生成した画像データに対して、撮影情報又は撮影条件として付加するパラメータを指定するための記録媒体を印刷手段に印刷させる記録媒体作成手段と、パラメータが指定された記録媒体を画像入力手段で読み取って指定されたパラメータを認識する認識手段と、認識手段が認識したパラメータと、原稿から生成された画像データとを対応付けて画像ファイルを生成するファイル生成手段を有することを特徴とする画像処理装置によって達成される。
【０００９】
また、上述の目的は、スキャナで原稿を光学的に読み取り、原稿の画像データを生成する画像入力工程と、画像入力工程により原稿を読み取って生成した画像データに対して、撮影情報又は撮影条件として付加するパラメータを指定するための記録媒体を印刷手段に印刷させる記録媒体作成工程と、パラメータが指定された記録媒体をスキャナで読み取って指定されたパラメータを認識する認識工程と、認識工程が認識したパラメータと、原稿から生成された画像データとを対応付けて画像ファイルを生成するファイル生成工程を有することを特徴とする画像処理方法によっても達成される。
【発明の効果】
【００１０】
このような構成により、本発明によれば、写真原稿を光学的に読み取って生成したデジタル画像データに対し、撮影情報、撮影条件を容易に付加することがを可能となる。
【発明を実施するための最良の形態】
【００１１】
以下、添付図面を参照して本発明の好適な実施形態について詳細に説明する。
＜第１の実施形態＞
図１は、本発明の実施形態に係る画像処理装置の一例としての画像処理システム１００の構成例を示すブロック図である。
【００１２】
本実施形態の画像処理システム１００は、例えば、３５ｍｍ写真フィルム１０２を光学的に読み取り、画像ファイル１０８を生成する画像入力装置１０１と、プリンタ１１０とから構成される。
【００１３】
そして、画像ファイル１０８に含まれる画像データ１０８ｂをプリンタ１１０において印刷する際、画像ファイル１０８に含まれる撮影条件データ１０８ａに基づく画像処理を画像データ１０８ｂに適用する。これにより、撮影時のユーザーの意図をより反映した、画像データ１０８ｂの高品質な印刷結果を得ることを実現する。
【００１４】
（画像入力装置１０１の構成）
画像入力装置１０１は、例えばフラットベッドスキャナとして構成される。そして、原稿台に置かれた３５ｍｍフィルム１０２のような透過原稿や、写真プリント及び後述する撮影情報記録媒体１０９等の反射原稿を読み取ることが可能である。なお、本明細書において、写真フィルム及び写真プリントを合わせて写真原稿と呼ぶ。
【００１５】
画像読み取り部１０３は、ＣＩＳやＣＣＤセンサ等の光電変換素子、原稿を照射する照明並びに光電変換素子を副走査方向に駆動するモータ等を有する。原稿の読み取りは、例えば画像入力装置１０１の有する操作部１２５からの指示に応答して行なわれる。そして、画像読み取り部１０３が出力するアナログ信号をＡ／Ｄ変換部１０４により、デジタル画像データに変換する。
【００１６】
原稿がネガフィルムである場合には、デジタル画像データに対してネガポジ反転部１０５により色の反転処理（ネガ−ポジ変換処理）を行なった後、画像記憶部１０６に記憶する。原稿がポジフィルムや写真プリントの場合には、ネガポジ反転部１０５での処理を行なわずに画像記憶部１０６へ記憶する。
【００１７】
文字認識処理部１０７は、後述する撮影情報記録媒体１０９の記入内容を認識するために用いられる。文字認識処理部１０７は、認識結果に基づき、撮影条件データ１０８ａを生成する。
【００１８】
画像記憶部１０６に記憶されたデジタル画像データは、画像データ１０８ｂとして、文字認識処理部１０７が生成する撮影条件データ１０８ａとともに、画像ファイル１０８に含められ、画像ファイルを１０８を形成する。このように、本実施形態において、文字認識処理部１０７は、画像ファイルの生成手段としても機能する。画像ファイル１０８は、画像入力装置１０１のメモリ（図示せず）に記憶される。画像ファイル１０８は、印刷時に、送信部（Ｉ／Ｆ）１２２によりプリンタ１１０へ転送される。或いは、ファイル記録部１２０により、メモリカード等のリムーバブル記憶媒体１２１へ書き込まれる。
【００１９】
操作部１２５は、マンマシーンインタフェースであり、ユーザが各種指示を入力するために用いるキーやボタンを有する。また、表示装置が含まれていてもよく、この場合には、ガイダンスやエラーメッセージや、設定メニュー等のＧＵＩを表示することが可能である。
【００２０】
（プリンタ１１０の構成）
次に、プリンタ１１０の構成について説明する。
プリンタ１１０は、画像処理装置１１１及びプリントエンジン１１８を含んでいる。本実施形態のプリンタ１１０は、画像処理装置１１１を内蔵するため、パーソナルコンピュータ（以下、ＰＣ）を介在させることなく、画像入力装置１０１と直接データをやりとりして各種の処理を行なうことが可能である。具体的には、プリンタ１１０は、画像入力装置１０１から受け取った画像ファイル１０８に画像処理装置１１１で画像処理を施し、プリントエンジン１１８により印刷出力する。
【００２１】
画像処理装置１１１は、リーダ部１１２、画像解析部１１３、撮影条件／情報解析部１１４、画像処理部１１５、印刷データ変換部１１６を備えている。
リーダ部１１２は、画像ファイル１０８を取得する機能を有する。リーダ部１１２は、例えばメモリカードリーダのような、リムーバブル記憶媒体の読み取り装置であって良い。また、リーダ部１１２は、画像入力装置１０１と有線又は無線により通信を行なうためのインタフェースであっても良い。あるいは、プリンタ１１０が、画像入力装置１０１が保持するメモリカードや内蔵メモリ等から画像ファイル１０８を読み出すようにしてもよい。さらに、これらの機能を併せ持っていても良い。
【００２２】
リーダ部１１２が取得した画像ファイル１０８のうち、撮影条件データ１０８ａは撮影条件／情報解析部１１４へ、画像データ１０８ｂは画像解析部１１３へ送られる。撮影条件／情報解析部１１４は、撮影条件データ１０８ａの内容を解析し、印刷処理に影響するパラメータの設定値等を画像処理部１１５へ出力する。また、画像解析部１１３は、画像データ１０８ｂの例えばヒストグラムやカラーバランスなどの画像特性を解析し、解析結果を画像処理部１１５へ出力する。
【００２３】
画像処理部１１５では、画像解析部１１３、撮影条件／情報解析部１１４における解析結果を基に処理内容を決定し、決定した処理を画像データ１０８ｂに対して適用する。
【００２４】
画像処理部１１５で処理された画像データ１０８ｂは、印刷データ変換部１１６においてプリントエンジン１１８で印刷可能な適切な形式のデータ（例えば、ＣＭＹＫデータ）に変換する。そして、プリントエンジン１１８がこのデータを印刷出力する。
【００２５】
（撮影条件データの取得）
次に、本画像処理システムにおいて、画像ファイル１０８へ記録可能な撮影条件データ１０８ａをどのように取得するかについて説明する。
まず、画像記憶部１０６に記憶されたデジタル画像データに対して付加する撮影情報（撮影条件及び撮影時の情報）をユーザーが指定するための、撮影情報記録媒体１０９を作成する。この撮影情報記録媒体１０９の作成は、例えばユーザの指示に応答して情報記録フォーマット作成部１１７が開始する。
【００２６】
情報記録フォーマット作成部１１７の図示しない内部（不揮発性）メモリには、設定可能な撮影情報の項目と、項目毎に設定可能なパラメータを表すテキストデータが予め記憶されている。情報記録フォーマット作成部１１７はこのテキストデータと、画像記憶部１０６に記憶されている、画像ファイル化されていないデジタル画像データとから、撮影情報記録媒体１０９をプリントするためのデータを作成する。このデータを、以後、フォーマットデータという。
【００２７】
フォーマットデータはプリンタ１１０に送信部１２２を介して送信され、リーダ部１１２に読み取られる。あるいは、ファイル記録部１２０により、メモリカード等のリムーバブル記憶媒体１２１に書き込まれる。何れの場合も、リーダ部１１２は読み取ったフォーマットデータを印刷データ変換部１１６に供給する。
【００２８】
印刷データ変換部１１６は、フォーマットデータをプリントエンジン１１８で印刷可能な適切な形式の印刷データ（例えば、ＣＭＹＫのビットマップデータ）に変換する。プリントエンジン１１８は、例えばカラー印刷可能なプリントエンジンであり、印刷データに基づいて撮影情報記録媒体１０９を印刷出力する。
【００２９】
図２に、本実施形態の画像処理システムで用いる撮影情報記録媒体１０９の例を示す。  図２に示す撮影情報記録媒体１０９は、撮影情報を設定する対象となった各画像について、サムネイル２０１、ファイル名２０２及び、情報指定領域２０３を有している。情報指定領域２０３には、設定可能な撮影条件／情報の項目と、項目毎に設定可能なパラメータが示される。さらに、各パラメータは文字による説明２０４と、対応するマーク領域２０５から構成される。フォルダ名領域２０６、ファイル名領域２０７は、本実施形態では使用されないが、画像ファイルの保存先やファイル名を手書き指定するための領域である。なお、ファイル名２０２は、予め定めた規則に基づいて自動生成することが可能である。文字認識結果で得られるファイル名と、画像記憶部１０６中のデジタル画像データとの対応がとれさえすれば、どのようなファイル名を生成しても良い。
【００３０】
ユーザは、撮影情報記録媒体１０９に示される各画像に対し、撮影条件／情報として設定を希望するパラメータのマーク領域２０５をマークする。このように、撮影情報記録媒体１０９をマークシート形式とし、所望のパラメータをマークして指定可能とすることにより、容易に所望のパラメータを指定することが可能である。すなわち、ユーザはＰＣ等他の装置を操作する必要も、文字を記入する必要もなく、単に所望のパラメータに対応するマークを塗りつぶせばよい。
【００３１】
なお、図２に示す例では、設定可能な撮影条件／情報として、撮影モード、ホワイトバランス（ＷＢ）及び露出モードが示されるが、他の項目を含んでいても良い。また、各項目に対して設定可能なパラメータの種類についても、特に制限はない。
【００３２】
例えば、設定可能な項目数やパラメータの数などを異ならせたフォーマットデータを複数種用意しておき、ユーザの選択に応じていずれかを用いるようにしてもよい。これにより、詳細な設定を行いたいユーザや、簡単な設定だけを行ないたいユーザに対応することができる。また、読み込んだ画像の表示に関しては、サムネイル形式に限定されず、撮影情報記録媒体１０９一枚につき一画像でも、撮影情報記録媒体１０９一枚に複数画像分でも良い。
【００３３】
あるいは、撮影情報記録媒体１０９に含める項目をユーザに選択させても良い。例えば、操作部１２５から撮影情報記録媒体１０９の生成指示が入力された場合、情報記録フォーマット作成部１１７は、図４に示すようなＧＵＩを（例えば操作部１２５が有する）表示装置に表示する。ユーザは、操作部１２５に含まれる方向キーや決定ボタン等を操作し、所望の項目を選択、決定する。そして、情報記録フォーマット作成部１１７は、選択された項目を含むテキストデータを用い、撮影情報記録媒体１０９を生成する。項目の選択は、撮影情報記録媒体１０９の作成対象となっている画像データの全てに共通して行なわれても良いし、個々の画像に対して選択可能としても良い。
【００３４】
図２の撮影情報記録媒体１０９に記載されている撮影条件／情報項目と文字パラメータの対応関係を詳細に示したテーブルの例を図３に示す。
また、撮影情報記録媒体１０９は、マークシート形式でなくてもよく、例えば〇や×などを記入する形式でも、具体的なパラメータ値を文字で記入する形式でもよい。
【００３５】
ユーザーは、印刷出力された撮影情報記録媒体１０９の所望の欄をマークする。そして、画像入力装置１０１の画像読取部１０３が有する原稿台又はオートシードフィーダにセットする。そして、画像入力装置１０１の有する操作部１２５から、読み取り開始を指示する。なお、写真原稿の読み取りを指示するための手段（ボタン等）と、撮影情報記録媒体１０９の読み取りを指示するための手段とを別個に設けることができる。これにより、画像入力装置１０１はこれから読み取る原稿が写真原稿なのか撮影情報記録媒体１０９なのかを判別することが可能である。もちろん、読み取り結果から原稿の種別を判別するようにしても良い。
【００３６】
読み取り指示に応答して、画像読取部１０３は撮影情報記録媒体１０９を読み取る。読み取り結果はＡ／Ｄ変換部１０４でデジタル画像データに変換し、画像記憶部１０６に記憶する。文字認識処理部１０７は、撮影情報記録媒体１０９を読み取ったデジタル画像データに対して文字認識処理を適用する。ファイル名２０２の認識により、対応するデジタル画像データを特定することができる。また、情報指定領域２０３の認識により、指定された撮影条件／情報の項目及びパラメータを特定することができる。
【００３７】
文字認識処理部１０７によって文字認識された撮影条件／情報のパラメータは、撮影条件データ１０８ａとして、対応する画像データ１０８ｂのヘッダー部分に付加され、画像ファイル１０８が作成される。
【００３８】
具体的には、文字認識処理部１０７は、画像入力装置１０１のメモリ（図示せず）に、画像データ１０８ｂと対応付けて撮影条件データ１０８ａを記憶する。送信部１２２は、これらデータから画像ファイル１０８を生成し、プリンタ１１０へ送信する。あるいは、ファイル記録部１２０は、これらのデータから画像ファイル１０８を生成し、リムーバブル記憶媒体１２１へ書き込む。
【００３９】
画像ファイル１０８をプリンタ１１０で印刷する場合、プリンタ１１０は画像データ１０８に含まれる撮影条件データ１０８ａを参照し、適切な処理を画像データ１０８ｂに適用して印刷出力する。
【００４０】
以上説明したように、本実施形態によれば、写真原稿を光学的に読み取って得られる画像データに対してユーザが撮影条件や撮影情報を指定するための記録媒体を生成、出力する。そして、ユーザが記入した記録媒体を読み取って、指定されたパラメータを認識し、画像データと共に画像ファイルへ含める。
【００４１】
そのため、ユーザは、光学的に読み取った画像データに対しても、所望の撮影条件や撮影情報を容易に付加することが可能である。その結果、光学的に読み取った画像データに対しても、適切な画像処理を行なった印刷出力を行なうことが可能となる。
なお、本実施形態において、画像入力装置１０１とプリンタ１１０を一つの装置に実装することも可能である。
【００４２】
＜第２の実施形態＞
図５は、本発明の第２の実施形態に係る画像処理システム１１００の構成例を示す図である。図５において、図１と同じ機能を有する構成要素には同じ参照数字を付し、重複する説明を省略する。
【００４３】
本実施形態の画像処理システム１１００は、ＰＣ１１１８に画像入力装置１１０１及びプリンタ１１１０を接続した構成を有する。
ＰＣ１１１８は、例えばパーソナルコンピュータとして市販されている汎用コンピュータであり、ＵＳＢやＩＥＥＥ１３９４等のインタフェースで画像入力装置１１０１及びプリンタ１１１０と接続される。
【００４４】
なお、図示しないが、ＰＣ１１１８は一般的なコンピュータが備える構成、すなわちＣＰＵ，ＲＯＭ，ＲＡＭ，ＨＤＤ，ディスプレイ，入力装置（キーボード、マウス等）を備える。そして、本実施形態では、ユーザは原則としてＰＣ１１１８の有する入力装置を用いてシステム１１００への指示を行なうものとする。また、以下で説明する各種機能ブロックは、実際にはＣＰＵがＲＯＭやＨＤＤに格納された制御プログラムを実行することにより所謂ソフトウェア的に実現される。
【００４５】
図５に示すように、本実施形態において、ＰＣ１１１８は画像記憶部１０６、文字認識処理部１０７、画像処理装置１１１’及び情報記録フォーマット作成部１１７を有している。
【００４６】
ＰＣ１１１８の入力装置から読み取り指示があると、ＰＣ１１１８は画像入力装置１０１に対して読み取りの開始を指示する。画像入力装置１０１の画像読み取り部１０３は、この指示に応答して写真原稿の読み取りを行う。読み取った画像データは、ＰＣ１１１８へ転送され、例えばＰＣ１１１８のＲＡＭやＨＤＤの一部領域である画像記憶部１０６へ記憶される。
【００４７】
また、ＰＣ１１１８の入力装置から撮影情報記録媒体１０９の出力指示があると、情報記録フォーマット作成部１１７が、画像記憶部１０６に記憶されている画像データと予め記憶されたテキスト情報等を用い、フォーマットデータを生成する。フォーマットデータは、画像処理装置１１１’の印刷データ変換部１１６でプリンタ１１１０に合わせたデータ変換処理を行ない、プリンタ１１１０へ出力する。本実施形態においても、第１の実施形態において説明したように、撮影情報記録媒体１０９の内容をユーザが編集又は選択可能に構成してもよい。
【００４８】
図２に示した撮影情報記録媒体１０９において、フォルダ名領域２０６と、ファイル名領域２０７には、手書きで具体的な文字列を記入することができる。ファイル名領域２０７に記入された文字列は、撮影情報記録媒体１０９が１画像データ毎に出力される場合にはその画像データを含む画像ファイルのファイル名として用いられる。一方、図２の例のように、１枚の撮影情報記録媒体１０９に複数の画像データが対応する場合には、生成される画像ファイルの各々のファイル名の一部に共通して用いられる。
【００４９】
ユーザは、フォルダ名領域２０６及びファイル名領域２０７以外は第１の実施形態で説明したとおりの記入を行い、画像入力装置１１０１に読み込ませる。撮影情報記録媒体１０９を読み込んだ画像データは、ＰＣ１１１８へ転送され、画像記憶部１０６に記憶される。文字認識処理部１０７は、撮影情報記録媒体１０９を読み込んだ画像データから、フォルダ名領域２０６、ファイル名領域２０７及び情報指定領域２０３の内容を認識する。
【００５０】
そして、指定されたパラメータを表す文字列を撮影条件データ１０８ａとして出力する。
画像データ１０８ｂと対応する撮影条件データ１０８ａは、画像ファイル１０８として、リーダライタ１２３によってメモリカード１２４のようなリムーバブル記録媒体に書き込まれる。あるいは、ＣＰＵにより、ＨＤＤ等の記憶装置に書き込まれる。これら書き込み時には、フォルダ名領域２０６から認識された文字列をフォルダ名として有するフォルダに、ファイル名領域２０７から認識された文字列をファイル名もしくはその一部として用いる。リーダライタ１２３やＣＰＵは、書き込み時には保存手段として機能する。直ちに印刷を行なう場合、画像ファイル１０８は画像処理装置１１１’へ入力される。
【００５１】
画像処理装置１１１’は、画像ファイル１０８を受け取ると、画像解析部１１３及び撮影条件／情報解析部１１４へ与え、解析処理を行なう。解析結果に基づいて、画像処理部１１５において画像データ１０８ｂへ適用すべき画像処理を決定し、決定した画像処理を適用する。画像処理済みの画像データは、印刷データ変換部１１６においてプリンタ１１１０に適合した印刷用データに変換され、出力される。
【００５２】
プリンタ１１１０は、画像処理装置１１１’の印刷データ変換部１１６から転送されてきた印刷用データを印刷出力する。プリンタ１１１０としては、例えば、シリアルスキャン形式のインクジェット方式のプリンタ等を適用可能である。
【００５３】
なお、印刷を行なう画像ファイルは、
・ＰＣ１１１８の有する記憶装置（ＨＤＤ等）、
・ＰＣ１１１８に接続されたメモリカードリーダで読み出し可能なメモリカード、・画像入力装置１１０１が保持するメモリカード又は内蔵メモリ、
から取得することができる。
【００５４】
以上説明したように、本実施形態によれば、第１の実施形態における効果に加え、フォルダ名やファイル名を指定可能であるため、画像ファイル１０８の整理が容易になるという利点がある。
【００５５】
（他の実施形態）
上述の実施形態を、システム或は装置のコンピュータ（或いはＣＰＵ、ＭＰＵ等）によりソフトウェア的に実現する場合、該コンピュータに供給されるコンピュータプログラム自体も本発明を実現する。つまり、上述の実施形態の機能を実現するためのコンピュータプログラム自体も本発明の一つである。
【００５６】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【００５７】
上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００５８】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【００５９】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
つまり、上述の実施形態を実現するためのプログラムファイルをクライアントコンピュータに提供するサーバ装置も本発明の一つである。
【００６０】
上述の実施形態は、システム或は装置のコンピュータ（或いはＣＰＵ、ＭＰＵ等）によりソフトウェア的に実現することも可能である。
従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００６１】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【００６２】
上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００６３】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【００６４】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
つまり、上述の実施形態を実現するためのプログラムファイルをクライアントコンピュータに提供するサーバ装置も本発明の一つである。
【００６５】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。
【００６６】
また、上述の実施形態を実現するためのコンピュータプログラムは、すでにコンピュータ上で稼働するＯＳの機能を利用するものであってもよい。
さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【００６７】
【図１】本発明の第１の実施形態に係る画像処理システムの構成例を示すブロック図である。
【図２】本発明の実施形態で用いる撮影情報記録シートの一例を示す図である。
【図３】本発明の実施形態に係る撮影条件／情報項目とパラメータの対応関係の一例を示す図である。
【図４】本発明の実施形態に係る撮影条件／情報項目設定用ＵＩの一例を示す図である。
【図５】本発明の第２の実施形態に係る画像処理システムの構成例を示すブロック図である。
【図１】
2008009775.tif 000003
【図２】
2008009775.tif 000004
【図３】
2008009775.tif 000005
【図４】
2008009775.tif 000006
【図５】
2008009775.tif 000007